(57)【要約】【課題】引戸と戸袋の両方をガラスで構成する場合に、引戸の下枠の見付と戸袋の下枠の見付との位置及び寸法を同一にすることにより、引戸構造の意匠性を向上させることが可能となる、引戸構造を提供する。【解決手段】引戸構造は、天井Ｃに設けられたレール６と、レール６に吊下されて開閉可能とされる引戸７と、開状態の引戸７を収容する戸袋８と、を備え、引戸７は、ドアガラス板７４と、ドアガラス板７４の下部を支持する下側枠材７５と、を備え、戸袋８は、戸袋ガラス板８２と、戸袋ガラス板８２の下部を支持する下枠８１と、を備え、下側枠材７５の見付と下枠８１の見付とを、上下方向に同位置に略同一の幅寸法で形成した。【選択図】図１
2020204250.tif 000002
【特許請求の範囲】
【請求項１】
天井に設けられたレールと、前記レールに吊下されて開閉可能とされる引戸と、開状態の前記引戸を収容する戸袋と、を備える引戸構造であって、
前記引戸は、一枚又は複数枚のドアガラス板と、前記ドアガラス板の下部を支持する引戸下枠と、を備え、
前記戸袋は、一枚又は複数枚の戸袋ガラス板と、前記戸袋ガラス板の下部を支持する戸袋下枠と、を備え、
前記引戸下枠の見付と前記戸袋下枠の見付とを、上下方向に同位置に略同一の幅寸法で形成した、引戸構造。
【請求項２】
前記引戸下枠には、長手方向に沿って形成された被ガイド部と、前記被ガイド部と平行となるように配置されて前記引戸の下端部と床面との隙間を塞ぐシール部材と、が設けられ、
前記引戸の下方には、前記被ガイド部と摺動することにより前記引戸をガイドするガイド部材が設けられる、請求項１に記載の引戸構造。
【請求項３】
前記被ガイド部には、下方に開口する凹部が長手方向に沿って形成され、
前記シール部材は、前記凹部の内側に設けられ、
前記ガイド部材として、前記戸袋の長手方向に沿って、前記引戸の一面側に位置する第一ガイドレールと、前記引戸の他面側に位置する第二ガイドレールと、が互いに平行となるように二本設けられ、
前記引戸が開状態の際には、前記シール部材が前記第一及び第二ガイドレールの間に配置され、
前記第一ガイドレール及び前記第二ガイドレールが前記被ガイド部と摺動することにより前記引戸をガイドする、請求項２に記載の引戸構造。
【請求項４】
前記被ガイド部は、前記凹部の一方の内側面を構成する第一被ガイド面と、前記第一被ガイド面に対向して前記凹部の他方の内側面を構成する第二被ガイド面と、を備え、
前記第一ガイドレール及び前記第二ガイドレールは、前記第一被ガイド面と前記第二被ガイド面との間に挿入され、
前記第一ガイドレールが前記第一被ガイド面と摺動し、前記第二ガイドレールが前記第二被ガイド面と摺動する、請求項３に記載の引戸構造。
【請求項５】
前記被ガイド部には、下方に開口する凹部が長手方向に沿って形成され、
前記シール部材は、前記凹部の外側において、前記引戸の厚さ方向の一端部に設けられ、
前記ガイド部材として、前記凹部の内側に挿入されるガイドローラが設けられ、
前記ガイドローラが前記被ガイド部の内側面と摺動することにより、前記ガイドローラが前記引戸をガイドする、請求項２に記載の引戸構造。
【請求項６】
前記ガイドローラは、固定板を介して前記床面に固定され、
前記固定板における前記床面との固定部は、前記引戸の下方空間から、前記引戸の厚さ方向の他端側の外側に延出される、請求項５に記載の引戸構造。
【発明の詳細な説明】
【技術分野】
【０００１】
本発明は引戸構造に関し、詳細には引戸構造の意匠性を向上させる技術に関するものである。
【背景技術】
【０００２】
従来、支柱、パネル体、ドア等で構成された間仕切り構造が用いられている（例えば、特許文献１を参照）。特許文献１には、複数の支柱の間に、間仕切りパネル、ドア、及び、補助パネル板等を設けた間仕切り構造が記載されている。
【先行技術文献】
【特許文献】
【０００３】
【特許文献１】特開２０１２−１３２２９６号公報
【発明の概要】
【発明が解決しようとする課題】
【０００４】
上記特許文献の如く構成された間仕切り構造において、引戸と戸袋との双方をガラス板で構成する場合がある。この際、引戸の下枠の見付と戸袋の下枠の見付との位置や寸法が異なると、引戸構造の意匠性が低下するという問題があった。
【０００５】
本発明は以上の如き状況に鑑みてなされたものであり、本発明が解決しようとする課題は、引戸と戸袋の両方をガラスで構成する場合に、引戸の下枠の見付と戸袋の下枠の見付との位置及び寸法を同一にすることにより、引戸構造の意匠性を向上させることが可能となる、引戸構造を提供することである。
【課題を解決するための手段】
【０００６】
本発明は、上記課題を解決するために、以下に構成する引戸構造を提供する。
【０００７】
（１）天井に設けられたレールと、前記レールに吊下されて開閉可能とされる引戸と、開状態の前記引戸を収容する戸袋と、を備える引戸構造であって、前記引戸は、一枚又は複数枚のドアガラス板と、前記ドアガラス板の下部を支持する引戸下枠と、を備え、前記戸袋は、一枚又は複数枚の戸袋ガラス板と、前記戸袋ガラス板の下部を支持する戸袋下枠と、を備え、前記引戸下枠の見付と前記戸袋下枠の見付とを、上下方向に同位置に略同一の幅寸法で形成した、引戸構造。
【０００８】
（２）前記引戸下枠には、長手方向に沿って形成された被ガイド部と、前記被ガイド部と平行となるように配置されて前記引戸の下端部と床面との隙間を塞ぐシール部材と、が設けられ、前記引戸の下方には、前記被ガイド部と摺動することにより前記引戸をガイドするガイド部材が設けられる、（１）に記載の引戸構造。
【０００９】
（３）前記被ガイド部には、下方に開口する凹部が長手方向に沿って形成され、前記シール部材は、前記凹部の内側に設けられ、前記ガイド部材として、前記戸袋の長手方向に沿って、前記引戸の一面側に位置する第一ガイドレールと、前記引戸の他面側に位置する第二ガイドレールと、が互いに平行となるように二本設けられ、前記引戸が開状態の際には、前記シール部材が前記第一及び第二ガイドレールの間に配置され、前記第一ガイドレール及び前記第二ガイドレールが前記被ガイド部と摺動することにより前記引戸をガイドする、（２）に記載の引戸構造。
【００１０】
（４）前記被ガイド部は、前記凹部の一方の内側面を構成する第一被ガイド面と、前記第一被ガイド面に対向して前記凹部の他方の内側面を構成する第二被ガイド面と、を備え、前記第一ガイドレール及び前記第二ガイドレールは、前記第一被ガイド面と前記第二被ガイド面との間に挿入され、前記第一ガイドレールが前記第一被ガイド面と摺動し、前記第二ガイドレールが前記第二被ガイド面と摺動する、（３）に記載の引戸構造。
【００１１】
（５）前記被ガイド部には、下方に開口する凹部が長手方向に沿って形成され、前記シール部材は、前記凹部の外側において、前記引戸の厚さ方向の一端部に設けられ、前記ガイド部材として、前記凹部の内側に挿入されるガイドローラが設けられ、前記ガイドローラが前記被ガイド部の内側面と摺動することにより、前記ガイドローラが前記引戸をガイドする、（２）に記載の引戸構造。
【００１２】
（６）前記ガイドローラは、固定板を介して前記床面に固定され、前記固定板における前記床面との固定部は、前記引戸の下方空間から、前記引戸の厚さ方向の他端側の外側に延出される、（５）に記載の引戸構造。
【発明の効果】
【００１３】
以上における本発明に係る引戸構造は、以下に示す効果を奏する。
【００１４】
（１）の構成によれば、引戸の下枠の見付と戸袋の下枠の見付との位置及び寸法が一致するため、引戸を開閉する際の意匠性を向上させることが可能となる。
【００１５】
（２）の構成によれば、ガイド部材により引戸の被ガイド部をガイドすることが可能となる。
【００１６】
（３）の構成によれば、二本のガイドレールにより、引戸の被ガイド部を引戸の長手方向に沿って安定的にガイドすることが可能となる。
【００１７】
（４）の構成によれば、引戸を閉塞した際に被ガイド面が表出しないため、引戸構造の意匠性が損なわれることを防止できる。
【００１８】
（５）の構成によれば、ガイドローラにより、引戸の被ガイド部を安定的にガイドすることが可能となる。
【００１９】
（６）の構成によれば、ガイドローラの組付性を向上させることができる。
【図面の簡単な説明】
【００２０】
【図１】第一実施形態に係る引戸構造を示した正面図。
【図２】図１におけるＸ−Ｘ線断面図。
【図３】図１におけるＹ−Ｙ線断面図。
【図４】図１におけるＺ−Ｚ線断面図。
【図５】図３の部分拡大図。
【図６】第二実施形態に係る引戸構造を示した正面図。
【図７】図６におけるＡ−Ａ線断面図。
【図８】図６におけるＢ−Ｂ線断面図。
【図９】図８におけるＣ−Ｃ線断面図。
【図１０】ガイド部材の構成を示した斜視図。
【図１１】（ａ）から（ｃ）はガイド部材の組付手順を示した斜視図。
【発明を実施するための形態】
【００２１】
以下では図１から図５を用いて、本発明の第一実施形態に係る引戸構造について説明する。本実施形態に係る引戸構造は、図１に示す如く、床面Ｆと天井Ｃとの間に設けられた引戸７と戸袋８とを備える。また、図１から図５に示す如く、引戸構造は引戸７の表裏方向（図２及び図３における左右方向）に対称形状となるように形成されている。図１に示す如く、引戸構造は床面Ｆに設けられる巾木部材１と、天井Ｃに設けられる天レール２とを備える。巾木部材１は、戸袋８を構成する下枠８１を支持している。
【００２２】
図１から図３に示す如く、天レール２には上枠４が固定される。上枠４は戸袋８を構成する戸袋ガラス板８２・８２の上端部を保持する。図２及び図３に示す如く、上枠４の下面には引戸７のレール６が設けられる。このように、天井Ｃには天レール２及び上枠４を介してレール６が設けられている。
【００２３】
引戸７は、レール６に吊下されて開閉可能とされる。具体的には引戸７は、図１から図４に示す如く、上部に設けられる上側枠材７３と、下部に設けられる引戸下枠である下側枠材７５と、戸先側の側部に設けられる戸先側枠材７６と、戸尻側の側部に設けられる戸尻側枠材７７と、を備える。
【００２４】
そして、これらの枠材７３・７５・７６・７７に、矩形の面材である二枚のドアガラス板７４・７４が外周辺を保持されている。このように、引戸７はダブルガラスからなるドアガラス板７４・７４を備える。なお、引戸７がシングルガラスからなるドアガラス板７４を備える構成とすることも可能である。換言すれば、引戸７は一枚又は複数枚のドアガラス板７４を備えることができる。
【００２５】
また、上側枠材７３の上面には吊支部材７２が延出され、吊支部材７２の上端部にはローラ７１・７１が設けられる。ローラ７１・７１が転動可能にレール６の内部に収容されることにより、引戸７がレール６に沿ってスライド可能とされる。
【００２６】
戸袋８は開状態の引戸７を収容する。具体的には戸袋８は、図１、図３、及び図４に示す如く、天レール２に固定される上枠４と、側部に設けられる枠体８０と、巾木部材１に固定される戸袋下枠である下枠８１と、を備える。
【００２７】
そして、これらの上枠４、枠体８０、及び、下枠８１に、矩形の面材である二枚の戸袋ガラス板８２・８２が外周辺を保持されている。詳細には図５に示す如く、下枠８１には下枠８１の外面部分を構成するアルミ製のガラス押さえ枠８１ｓが着脱可能に備えられている。そして、ガラス押さえ枠８１ｓを取り外した下枠８１に戸袋ガラス板８２をセットし、ガラス押さえ枠８１ｓを下枠８１に嵌め込む。その後、ガラス押さえ枠８１ｓと戸袋ガラス板８２との間に硬質樹脂のパッキンを挿入することにより、下枠８１に対して戸袋ガラス板８２が固定される。このように、戸袋８はダブルガラスからなる戸袋ガラス板８２・８２を備える。なお、戸袋８が片寄せシングルガラスからなる戸袋ガラス板８２を備える構成とすることも可能である。このように、戸袋８についても引戸７と同様に、一枚又は複数枚の戸袋ガラス板８２を備えることができる。
【００２８】
上記の如く構成された引戸構造において、引戸７がレール６に沿ってスライドし、戸袋８から進退することにより、引戸７が開閉される。本実施形態においては、引戸７が図１における左方向にスライドして戸袋８から延出された状態を引戸７の閉状態、引戸７が図１における右方向にスライドして戸袋８に収容されている状態を引戸７の開状態として記載する。
【００２９】
本実施形態に係る引戸構造においては図４に示す如く、引戸７の閉状態において、戸尻側枠材７７は枠体８０の見付（正面視幅寸法）内に収まるように構成している。また、引戸７の閉状態において、戸尻側枠材７７における戸袋８側の端面（右側端面）である戸尻枠端面７７ａと、枠体８０における引戸７の反対側の端面（右側端面）である枠端面８０ａと、が面一になる（正面視で戸尻枠端面７７ａの位置と枠端面８０ａの位置とが略一致する）ように構成している。
【００３０】
また、図４に示す如く、戸尻側枠材７７の戸尻側端部には、軟質材からなる戸尻シール部材７９が組付けられる。引戸７の閉状態において戸尻シール部材７９が枠体８０（枠端面８０ａ）との隙間を塞ぐことにより、引戸構造における遮音性を確保している。
【００３１】
さらに、枠体８０の内側面には、枠体８０の長手方向に沿って塞ぎ材８０ｂが設けられる。塞ぎ材８０ｂにより、戸尻側枠材７７との隙間から戸袋８の内部に虫等が侵入することを防止することができる。本実施形態において、塞ぎ材８０ｂは化学繊維又は天然繊維等の繊維状素材を束ねて構成している。
【００３２】
図１及び図４に示す如く、引戸７の戸先側には戸当り枠３が設けられる。引戸７が閉状態にあるときは、引戸７の戸先側枠材７６（より詳細には、戸先側枠材７６に設けられたシール部材）が戸当り枠３に当接する。戸当り枠３の上端部と枠体８０の上端部との間には、引戸７が閉状態にある際に吊支部材７２及び上側枠材７３を被覆するためのカバー部材５が設けられている。また、引戸７の戸先側端部には、取手９１及び鍵９２が取り付けられている。
【００３３】
本実施形態に係る引戸構造においては図１及び図５に示す如く、引戸７の下側枠材７５の見付（図１、図２、及び図５中に示す幅寸法Ｄ１）と、戸袋８の下枠８１の見付（図１及び図５中に示す幅寸法Ｄ２）とが、上下方向に同位置かつ略同一の幅寸法で形成される。なお、本明細書における「略同一」の記載は、引戸構造の使用者が目視した際に同一の幅寸法であると違和感なく感じるレベルであるという意味で用いている。具体的に本実施形態においては、「略同一」の範囲を±３ｍｍ以内としている。これにより、図１に示す如く下側枠材７５の見付と下枠８１の見付とが連続した形状で使用者に視認されるため、引戸構造において引戸７を戸袋８から進退させる際の意匠性を向上させることが可能となる。
【００３４】
また、下側枠材７５の見付は、下枠８１の見付に対して同じかやや小さい幅寸法（０ｍｍから−３ｍｍ程度）で形成することがより好適である。下側枠材７５の見付が下枠８１の見付よりも大きい場合、引戸７を戸袋８に収容した際に下側枠材７５が出っ張って外部から視認され易くなるためである。このため、本実施形態においては、下枠８１の見付に対して下側枠材７５の見付を１ｍｍ程度小さい幅寸法で形成している。
【００３５】
本実施形態に係る引戸構造においては図５に示す如く、下枠８１による戸袋ガラス板８２の保持部における外側上端部８１ｃ（より詳細にはガラス押さえ枠８１ｓの上端部）及び内側上端部８１ｄ、及び、下側枠材７５によるドアガラス板７４の保持部における外側上端部７５ｃ及び内側上端部７５ｄの上下位置を統一している。これにより、引戸７が戸袋８に収容されている状態（引戸７の開状態）において使用者が引戸構造を視認した際に、外側上端部８１ｃ、内側上端部８１ｄ、外側上端部７５ｃ、及び、内側上端部７５ｄが同一面として認識される。即ち、本実施形態においては、引戸構造の意匠性をより高めることが可能となる。
【００３６】
また、本実施形態に係る引戸構造において、引戸７における下側枠材７５は図２に示す如く、断面視で略門形状に、下方に開口する凹部が長手方向に沿って形成されている。そして、下側枠材７５には、この凹部を備える被ガイド部が形成される。詳細には図５に示す如く、下側枠材７５の下面に形成された凹部の内側面のうち、引戸７の一面側（図５における左側）の面が第一被ガイド面７５ａ、引戸７の他面側（同じく右側）の面が第二被ガイド面７５ｂとして形成される。換言すれば、下側枠材７５における第一被ガイド面７５ａと第二被ガイド面７５ｂとで挟まれた空間の内周面により、被ガイド部における凹部が形成される。
【００３７】
また、第一被ガイド面７５ａと第二被ガイド面７５ｂとの間には、引戸７の下端部と床面Ｆとの隙間を塞ぐシール部材７８が設けられる。即ち、シール部材７８は、下側枠材７５に形成された凹部の内側に、第一被ガイド面７５ａ及び第二被ガイド面７５ｂと平行となるように配置される。シール部材７８は、下部に樹脂製の摺接部材７８ａが設けられる。摺接部材７８ａが床面Ｆと常に摺接することにより、引戸７の下方における音漏れ及び光漏れが防止される。なお、シール部材７８を、引戸７の開放時は床面Ｆから離間させるとともに、引戸７を閉めると自動的に下方に変位して引戸７と床面Ｆとの隙間を塞ぐ構成とすることも可能である。
【００３８】
また、本実施形態に係る引戸構造においては図５に示す如く、戸袋８における床面Ｆには戸袋８の長手方向に沿って下枠８１が巾木部材１に固定される。そして、下枠８１の上面には、引戸７の一面側に位置する第一ガイドレール８１ａと、他面側に位置する第二ガイドレール８１ｂと、が互いに平行となるように二本設けられる。第一ガイドレール８１ａ及び第二ガイドレール８１ｂは、本発明に係るガイド部材の一実施態様である。第一ガイドレール８１ａ及び第二ガイドレール８１ｂはそれぞれ、樹脂製の第一摺動部材８３ａ及び第二摺動部材８３ｂで被覆される。
【００３９】
上記の如く構成された引戸構造において、引戸７が開状態の際には図５に示す如く、シール部材７８が第一ガイドレール８１ａ及び第二ガイドレール８１ｂの間に配置される。そして、引戸７が戸袋８の内部でスライドする際に、第一ガイドレール８１ａ（詳細には、第一ガイドレール８１ａを被覆する第一摺動部材８３ａ、以下同じ）が第一被ガイド面７５ａと摺動し、第二ガイドレール８１ｂ（詳細には、第二ガイドレール８１ｂを被覆する第二摺動部材８３ｂ、以下同じ）が第二被ガイド面７５ｂと摺動する。即ち、本実施形態におけるガイド部材である第一ガイドレール８１ａ及び第二ガイドレール８１ｂは、下側枠材７５に形成された凹部の内側面と摺動する。このように、第一ガイドレール８１ａ及び第二ガイドレール８１ｂにより引戸７がガイドされる。
【００４０】
本実施形態に係る引戸構造においては上記の如く、戸袋８に設けられたガイド部材を、引戸７に形成された被ガイド部の凹部の内側面と摺動させることにより引戸７をガイドしている。具体的には、戸袋８に沿って設けられた二本のガイドレール８１ａ・８１ｂによって二つの被ガイド面７５ａ・７５ｂをガイドしている。これにより、引戸７を長手方向に沿って安定的にガイドすることが可能となる。また、シール部材７８を被ガイド部の凹部の内側において、二本のガイドレール８１ａ・８１ｂの間に配置することにより、引戸７において被ガイド面７５ａ・７５ｂとシール部材７８とを水平方向に隣接して配置できる。これにより、被ガイド面７５ａ・７５ｂとシール部材７８とを上下にずらして配置する構成と比較して、引戸７の上下寸法をコンパクト化することが可能となる。
【００４１】
また、本実施形態に係る引戸構造においては図５に示す如く、ガイドレール８１ａ・８１ｂは、被ガイド面７５ａ・７５ｂの間に挿入される。そして、第一ガイドレール８１ａが第一被ガイド面７５ａと摺動し、第二ガイドレール８１ｂが第二被ガイド面７５ｂと摺動する。
【００４２】
本実施形態においては上記の如く、ガイドレール８１ａ・８１ｂと摺動する被ガイド面７５ａ・７５ｂを下側枠材７５の内側に面するように構成している。これにより、引戸７を閉塞した際に、汚れがつきやすい被ガイド面７５ａ・７５ｂが表出しないため、引戸構造の意匠性が損なわれることを防止できる。なお、ガイドレール８１ａ・８１ｂを下側枠材７５における被ガイド部の外側に配置して引戸７をガイドする構成とすることも可能である。
【００４３】
また、本実施形態においては、下枠８１の内側面と下側枠材７５の外側面とのクリアランスが、被ガイド面７５ａ・７５ｂとガイドレール８１ａ・８１ｂ（詳細には摺動部材８３ａ・８３ｂ）とのクリアランスよりも大きくなるように構成している。このように、下側枠材７５の外側面が下枠８１の内側面に擦れないようにして、外部に露出する下側枠材７５の外側面に傷がつくことを防止している。
【００４４】
次に、図６から図１１を用いて、本発明の第二実施形態に係る引戸構造について説明する。本実施形態に係る引戸構造は、図６に示す如く、床面Ｆと天井Ｃとの間に設けられた引戸１０７と戸袋１０８とを備える。図６に示す如く、引戸構造は床面Ｆに設けられる巾木部材１０１と、天井Ｃに設けられる天レール１０２とを備える。巾木部材１０１は、戸袋１０８を構成する下枠１８１を支持している。
【００４５】
図６及び図７に示す如く、天レール１０２には上枠１０４が固定される。上枠１０４は戸袋１０８を構成する戸袋ガラス板１８２の上端部を保持する。図７に示す如く、上枠１０４の下面には引戸１０７のレール１０６が設けられる。このように、天井Ｃには天レール１０２及び上枠１０４を介してレール１０６が設けられている。
【００４６】
引戸１０７は、レール１０６に吊下されて開閉可能とされる。具体的には引戸１０７は、図６から図８に示す如く、上部に設けられる上側枠材１７３と、下部に設けられる引戸下枠である下側枠材１７５と、戸先側の側部に設けられる戸先側枠材１７６と、戸尻側の側部に設けられる戸尻側枠材１７７と、を備える。
【００４７】
そして、これらの枠材１７３・１７５・１７６・１７７に、矩形の面材である二枚のドアガラス板１７４・１７４が外周辺を保持されている。このように、引戸１０７はダブルガラスからなるドアガラス板１７４・１７４を備える。なお、引戸１０７がシングルガラスからなるドアガラス板１７４を備える構成とすることも可能である。換言すれば、引戸１０７は一枚又は複数枚のドアガラス板１７４を備えることができる。
【００４８】
また、上側枠材１７３の上面には吊支部材１７２が延出され、吊支部材１７２の上端部にはローラ１７１・１７１が設けられる。ローラ１７１・１７１が転動可能にレール１０６の内部に収容されることにより、引戸１０７がレール１０６に沿ってスライド可能とされる。
【００４９】
戸袋１０８は開状態の引戸１０７を収容する。具体的には戸袋１０８は、図６から図８に示す如く、天レール１０２に固定される上枠１０４と、側部に設けられる枠体１８０と、巾木部材１０１に固定される戸袋下枠である下枠１８１と、を備える。
【００５０】
そして、これらの上枠１０４、枠体１８０、及び、下枠１８１に、矩形の面材である戸袋ガラス板１８２が外周辺を保持されている。本実施形態において、戸袋ガラス板１８２は戸袋１０８の厚み方向の両側に二枚ずつ、合計四枚設けられている。なお、戸袋１０８についても引戸１０７と同様に、一枚又は複数枚の戸袋ガラス板１８２を備えることができる。
【００５１】
上記の如く構成された引戸構造において、引戸１０７がレール１０６に沿ってスライドし、戸袋１０８から進退することにより、引戸１０７が開閉される。本実施形態においては、引戸１０７が図６における左方向にスライドして戸袋１０８から延出された状態を引戸１０７の閉状態、引戸１０７が図６における右方向にスライドして戸袋１０８に収容されている状態を引戸１０７の開状態として記載する。
【００５２】
本実施形態に係る引戸構造においては図８に示す如く、引戸１０７の閉状態において、戸尻側枠材１７７は枠体１８０の見付（正面視幅寸法）内に収まるように構成している。また、引戸１０７の閉状態において、戸尻側枠材１７７における戸袋１０８側の端面（右側端面）である戸尻枠端面１７７ａと、枠体１８０における引戸１０７の反対側の端面（右側端面）である枠端面１８０ａと、が面一になる（正面視で戸尻枠端面１７７ａの位置と枠端面１８０ａの位置とが略一致する）ように構成している。
【００５３】
また、図８に示す如く、戸尻側枠材１７７の戸尻側端部には、軟質材からなる戸尻シール部材１７９が組付けられる。引戸１０７の閉状態において戸尻シール部材１７９が枠体１８０（枠端面１８０ａ）との隙間を塞ぐことにより、引戸構造における遮音性を確保している。
【００５４】
さらに、枠体１８０の内側面には、枠体１８０の長手方向に沿って塞ぎ材１８０ｂが設けられる。塞ぎ材１８０ｂにより、戸尻側枠材１７７との隙間から戸袋１０８の内部に虫等が侵入することを防止することができる。本実施形態において、塞ぎ材１８０ｂは化学繊維又は天然繊維等の繊維状素材を束ねて構成している。
【００５５】
図６及び図８に示す如く、引戸１０７の戸先側には戸当り枠１０３が設けられる。引戸１０７が閉状態にあるときは、引戸１０７の戸先側枠材１７６（より詳細には、戸先側枠材１７６における端面に設けられた戸先シール部材１７６ａ）が戸当り枠１０３に当接する。戸当り枠１０３の上端部と枠体１８０の上端部との間には、引戸１０７が閉状態にある際に吊支部材１７２及び上側枠材１７３を被覆するためのカバー部材１０５が設けられている。また、引戸１０７の戸先側端部には、取手１９１及び鍵１９２が取り付けられている。なお本実施形態においては、取手１９１を引戸１０７の上下方向長さの２／３程度の長さに構成することにより、第一実施形態と比較して引戸１０７の全体的な剛性を向上させている。
【００５６】
本実施形態に係る引戸構造においては図６及び図７に示す如く、引戸１０７の下側枠材１７５の見付（図６及び図７中に示す幅寸法Ｄ３）と、戸袋１０８の下枠１８１の見付（図６及び図７中に示す幅寸法Ｄ４）とが、上下方向に同位置かつ略同一の幅寸法で形成される。本実施形態においては第一実施形態と同様に、「略同一」の範囲を±３ｍｍ以内としている。これにより、図６に示す如く下側枠材１７５の見付と下枠１８１の見付とが連続した形状で使用者に視認されるため、引戸構造において引戸１０７を戸袋１０８から進退させる際の意匠性を向上させることが可能となる。
【００５７】
また、下側枠材１７５の見付は、下枠１８１の見付に対して同じかやや小さい幅寸法（０ｍｍから−３ｍｍ程度）で形成することがより好適である。下側枠材１７５の見付が下枠１８１の見付よりも大きい場合、引戸１０７を戸袋１０８に収容した際に下側枠材１７５が出っ張って外部から視認され易くなるためである。このため、本実施形態においては、下枠１８１の見付に対して下側枠材１７５の見付を１ｍｍ程度小さい幅寸法で形成している。
【００５８】
また、本実施形態に係る引戸構造においても第一実施形態と同様に、下枠１８１による戸袋ガラス板１８２の保持部における外側上端部及び内側上端部、及び、下側枠材１７５によるドアガラス板１７４の保持部における外側上端部及び内側上端部の上下位置を図７に示す如く統一している。これにより、引戸１０７が戸袋１０８に収容されている状態（引戸１０７の開状態）において使用者が引戸構造を視認した際に、下枠１８１の外側上端部及び内側上端部と、下側枠材１７５の外側上端部及び内側上端部と、が同一面として認識される。即ち、本実施形態においては、引戸構造の意匠性をより高めることが可能となる。
【００５９】
また、本実施形態に係る引戸構造において、引戸１０７における下側枠材１７５は図７に示す如く、断面視で略門形状に、下方に開口する凹部が長手方向に沿って形成されている。より詳細には、下側枠材１７５は図９に示す右側に第一枠材１７５Ｒが設けられ、第一枠材１７５Ｒに対して図９における左側に第二枠材１７５Ｌが組付けられることにより構成されている。そして、図９に示す如く、下側枠材１７５の下面（第一枠材１７５Ｒと第二枠材１７５Ｌとの間）に、当該下面の長手方向に沿って、断面視門形状の凹部である摺動部材１７５ｓが被ガイド部として設けられる。以下、図７及び図９における左側を引戸１０７（下側枠材１７５）の厚さ方向の一側、右側を引戸１０７（下側枠材１７５）の厚さ方向の他側として記載する。
【００６０】
本実施形態において、摺動部材１７５ｓの内側面のうち一側（図９における左側）は第一被ガイド面１７５ａ、摺動部材１７５ｓの内側面のうち他側（同じく右側）は第二被ガイド面１７５ｂとして形成される。このように、下側枠材１７５に設けられた摺動部材１７５ｓの内周面により、被ガイド部の凹部が形成される。本実施形態においては図９に示す如く、下側枠材１７５に設けられる摺動部材１７５ｓは、引戸１０７の他側に偏って設けられる。
【００６１】
また、下側枠材１７５の第二枠材１７５Ｌには、引戸１０７の一側端部（図９における左側端部）で摺動部材１７５ｓに隣接して、引戸１０７の下端部と床面Ｆとの隙間を塞ぐシール部材１７８が設けられる。即ち、シール部材１７８は、下側枠材１７５に形成された凹部の外側に、第一被ガイド面１７５ａ及び第二被ガイド面１７５ｂと平行となるように配置される。シール部材１７８は、下部に樹脂製の摺接部材１７８ａが設けられる。摺接部材１７８ａが床面Ｆと常に摺接することにより、引戸１０７の下方における音漏れ及び光漏れが防止される。
【００６２】
また、本実施形態に係る引戸構造においては図６及び図８に示す如く、床面Ｆにおける引戸１０７の下方、より詳細には枠体１８０の戸先側の近傍に、ガイドユニット１８３が設けられる。ガイドユニット１８３には二個のガイドローラ１８７・１８７が設けられる。ガイドローラ１８７・１８７は、本発明に係るガイド部材の一実施態様である。
【００６３】
図９及び図１０に示す如く、ガイドユニット１８３は、支持板１８４、固定板１８５、ガイドローラ１８７・１８７、カバー部材１８８等により構成される。支持板１８４はねじ部材により床面Ｆに固定される。固定板１８５は両端部にローラ支持部１８６・１８６が立設された板状部材である。固定板１８５は、固定孔１８５ａに挿通された固定ねじが支持板１８４の雌ねじ孔１８４ａに螺入されることにより支持板１８４に固定される。
【００６４】
ガイドローラ１８７は鉛直方向に軸心方向を向けた軸部１８７ａを介して、ローラ支持部１８６に回動可能に取付けられる。即ち、ガイドローラ１８７は支持板１８４及び固定板１８５を介して床面Ｆに固定される。
【００６５】
図９に示す如く、固定板１８５における床面Ｆ（支持板１８４）との固定部、即ち、固定孔１８５ａが開口された部分は、引戸１０７の下方空間から、引戸１０７の厚さ方向の他端側（図９における右側）の外側に延出される。そして、引戸１０７の下方空間から延出された固定板１８５は、カバー部材１８８により被覆される。カバー部材１８８には開口部１８８ａが形成されており、この開口部１８８ａに固定板１８５及び支持板１８４が挿通される。
【００６６】
上記の如く構成された引戸構造においては図９に示す如く、引戸１０７の下側枠材１７５が備える摺動部材１７５ｓの内側（下側枠材１７５に形成された凹部の内側）に、ガイドローラ１８７が配置される。そして、引戸１０７が引戸構造においてスライドする際に、ガイドローラ１８７・１８７が摺動部材１７５ｓにおける第一被ガイド面１７５ａ及び第二被ガイド面１７５ｂと摺動する。即ち、本実施形態におけるガイド部材であるガイドローラ１８７・１８７は、下側枠材１７５に形成された凹部の内側面と摺動する。このように、ガイドローラ１８７・１８７により引戸１０７がガイドされる。
【００６７】
本実施形態に係る引戸構造においては上記の如く、床面Ｆに設けられたガイド部材を、引戸１０７に形成された被ガイド部の凹部の内側面と摺動させることにより引戸１０７をガイドしている。具体的には、床面Ｆにおける戸袋１０８の近傍に設けられたガイドローラ１８７・１８７によって、下側枠材１７５における被ガイド部である摺動部材１７５ｓをガイドしている。これにより、引戸１０７を安定的にガイドすることが可能となる。また、シール部材１７８を摺動部材１７５ｓの凹部の外側に配置することにより、引戸１０７において摺動部材１７５ｓとシール部材１７８とを水平方向に隣接して配置できる。これにより、被ガイド面１７５ａ・１７５ｂとシール部材１７８とを上下にずらして配置する構成と比較して、引戸１０７の上下寸法をコンパクト化することが可能となる。
【００６８】
ガイドローラ１８７は図１１（ａ）から（ｃ）に示す如く、引戸１０７を引戸構造に組付けた後（引戸１０７がレール１０６に吊下された後）で設置することができる。具体的にはまず図１１（ａ）に示す如く、引戸１０７がレール１０６に吊下された状態で、引戸１０７の下側枠材１７５の下方に支持板１８４を挿入して、床面Ｆにおける枠体１８０の戸先側の近傍に固定する。
【００６９】
そして、図１１（ａ）に示す如く、戸先側枠材１７６に設けられた戸先シール部材１７６ａを上方にスライドさせてできた開口部から、ガイドローラ１８７を固定板１８５と共に下側枠材１７５における摺動部材１７５ｓの内部に挿入する。さらに、図１１（ｂ）に示す如く、固定板１８５を支持板１８４に固定し、戸先側枠材１７６において戸先シール部材１７６ａを下方にスライドさせる。
【００７０】
その後、図１１（ｃ）に示す如く、カバー部材１８８により固定板１８５の固定部を被覆する。これにより、本実施形態に係る引戸構造にガイドユニット１８３を組付けることができる。
【００７１】
このように、本実施形態に係る引戸構造において、ガイドユニット１８３を構成する固定板１８５は、床面Ｆとの固定部が、引戸１０７の下方空間から外側に延出されている。これにより、引戸１０７を組付けた後でガイドユニット１８３（ガイドローラ１８７）を引戸構造に組付けることができる。このように、本実施形態においてはガイドローラ１８７の組付性を向上させることを可能としている。
【００７２】
なお、本実施形態においては、ガイドユニット１８３（ガイドローラ１８７）を床面Ｆに設置した後で引戸１０７を引戸構造に組付ける構成とすることも可能である。この場合、ガイドユニット１８３が全体的に引戸１０７の下方に配置される構成としても差し支えない。但し、引戸１０７を斜めにして戸袋１０８の内側に収める必要があるため、その分のクリアランスが必要となる。
【００７３】
本実施形態においては、引戸１０７を組付けた後でガイドユニット１８３を引戸構造に組付けることができる構成としたことにより、戸袋１０８と引戸１０７のクリアランスを小さくすることを可能としている。また、引戸１０７の開状態の際に下枠１８１と下側枠材１７５の隙間を小さくすることができるため、外観上好適である。また、限られた有効寸法内で効率的に引戸１０７を収めることが可能となる。
【符号の説明】
【００７４】
１        地レール                 ２        天レール       
３        戸当り枠                 ４        上枠           
５        カバー部材               ６        レール         
７        ドア                     ８        戸袋           
７１        ローラ                 ７２        吊支部材       
７３        上側枠材               ７４        ドアガラス板   
７５        下側枠材（引戸下枠）
７５ａ      第一被ガイド面         ７５ｂ      第二被ガイド面 
７５ｃ      外側上端部             ７５ｄ      内側上端部     
７６        戸先側枠材             ７７        戸尻側枠材     
７７ａ      戸尻枠端面             ７８        シール部材     
７９        戸尻シール部材         ７８ａ      摺接部材       
８０        枠体                   ８０ａ      枠端面         
８０ｂ      塞ぎ材                 ８１        下枠（戸袋下枠）
８１ａ      第一ガイドレール（ガイド部材）
８１ｂ      第二ガイドレール（ガイド部材）
８１ｃ      外側上端部             ８１ｄ      内側上端部     
８１ｓ      ガラス押さえ枠         ８２        戸袋ガラス板   
８３ａ      第一摺動部材           ８３ｂ      第二摺動部材   
９１        取手                   ９２        鍵             
１０１        地レール             １０２        天レール       
１０３        戸当り枠             １０４        上枠           
１０５        カバー部材           １０６        レール         
１０７        ドア                 １０８        戸袋           
１７１        ローラ               １７２        吊支部材       
１７３        上側枠材             １７４        ドアガラス板   
１７５        下側枠材（引戸下枠）
１７５ａ      第一被ガイド面       １７５ｂ      第二被ガイド面 
１７５ｓ      摺動部材（被ガイド部）
１７６        戸先側枠材     
１７６ａ      戸先シール部材       １７７        戸尻側枠材     
１７７ａ      戸尻枠端面           １７８        シール部材     
１７８ａ      摺接部材             １７９        戸尻シール部材 
１８０        枠体                 １８０ａ      枠端面         
１８０ｂ      塞ぎ材               １８１        下枠（戸袋下枠）
１８１ｓ      ガラス押さえ枠       １８２        戸袋ガラス板   
１８３        ガイドユニット       １８４        支持板         
１８４ａ      雌ねじ孔             １８５        固定板         
１８５ａ      固定孔               １８６        ローラ支持部   
１８７        ガイドローラ   （ガイド部材）
１８７ａ      軸部                 １８８        カバー部材     
１８８ａ      開口部               １９１        取手           
１９２        鍵                       Ｃ        天井           
Ｆ        床面                     Ｐ        パネル         
【図１】
2020204250.tif 000003
【図２】
2020204250.tif 000004
【図３】
2020204250.tif 000005
【図４】
2020204250.tif 000006
【図５】
2020204250.tif 000007
【図６】
2020204250.tif 000008
【図７】
2020204250.tif 000009
【図８】
2020204250.tif 000010
【図９】
2020204250.tif 000011
【図１０】
2020204250.tif 000012
【図１１】
2020204250.tif 000013